(57)【要約】【課題】連結自在に接続できる建物ユニットにコインランドリー設備を工場生産段階で設置を行い、設置の必要な場所に車両により簡単に輸送できる建物ユニットを提供する。【解決手段】看板フレームとユニットフレームとで構成されたユニット式建物であって、看板フレームは側面から見た場合にＬ字形に形成されており、該Ｌ字形の垂直面をユニットフレームに着脱可能に構成され、ユニットフレームはトラック車両１台分の床設置面積およびその高さを有し、独立した鉄骨構造を成し、前記ユニットフレームを複数個組み合わせ連結した時に、出入口の通路となる空間部を予め形成し、該空間部を連結していくと共に壁でその空間部を開閉自在とし、複数個形成された建物を通路を介して出入りできるようにしたことを特徴とする。【選択図】　　　　図１
2004116073.tif 000002
【特許請求の範囲】
【請求項１】
看板フレームとユニットフレームとで構成されたユニット式建物であって、
看板フレームは側面から見た場合にＬ字形に形成されており、該Ｌ字形の垂直面をユニットフレームに着脱可能に構成され、
ユニットフレームはトラック車両１台分の床設置面積およびその高さを有し、独立した鉄骨構造を成し、
前記ユニットフレームを複数個組み合わせ連結した時に、出入口の通路となる空間部を予め形成し、該空間部を連結していくと共に壁でその空間部を開閉自在とし、複数個形成された建物を通路を介して出入りできるようにしたことを特徴としたユニット式建物。
【請求項２】
看板フレームは庇と一体的に構成され、前記ユニットフレームの上方部にボルトナット止めにて固定されるように形成されていることを特徴とする請求項１記載のユニット式建物。
【請求項３】
前記ユニットフレームは前記看板を外した状態で、４トン車両で運搬できる大きさであることを特徴とする請求項１又は２のいずれかに記載のユニット式建物。
【請求項４】
前記ユニット式建物内に形成された収容空間部内に、洗濯機と乾燥機とを上下に配置したものを少なくとも２つ以上横に並べて配置しうる寸法にしたことを特徴とする請求項１乃至３のいずれかに記載のユニット式建物。
【請求項５】
前記ユニット式建物の側部上方に換気扇を配置しうる空間部を形成したことを特徴とする請求項１乃至４のいずれかに記載のユニット式建物。
【請求項６】
ユニットフレームの回収、整備、若しくは引き渡しをユニットフレーム単位で行うようにしたことを特徴とする請求項１乃至５のいずれかに記載のユニット式建物。
【発明の詳細な説明】
【０００１】
【発明の属する技術分野】
本発明は、複数本の柱やそれらを結合するフレームを備えて形成される建物ユニット、およびその建物ユニットを複数個組み合わせて建てられるユニット式建物に関する。
【０００２】
【従来の技術】
最近、コインランドリーの建物ユニットでは、例えば工場生産段階で洗濯機や乾燥機及びそれらの機器に対する給排水、ガス設備等の配管工事や電気配線工事等を行い、一つのユニット式建物として商品化されている（例えば、特許文献１参照。）。このようなユニット化された建物はトラック等に積載して設置現場へ移動し設置を行っている。そして、その設置場所においては、このユニット式建物に対して給排水、ガス及び電気等を元栓に接続するだけで、いつでも簡単に直ぐコインランドリーとして営業することが出来るようにしている。つまり、最も作業工数が多く煩雑な設備の設置やその設備に対する配管及び配線等の現場作業を簡略化し、工期を短縮化している。
【０００３】
【特許文献１】
特開２００２−１８０６８３号公報（第２−４頁、第５図）
【０００４】
【発明が解決しようとする課題】
しかしながら、このような従来のコインランドリーの建物ユニットにあっては、上述したように、ユニット化された建物を設置場所へ移動する際、ユニット式建物の大きさが運搬車の荷台の大きさによって制限されていた。特に、荷台の長さ方向の寸法（積載されるユニット式建物においては、その幅寸法になる。）に関しては、ある程度のその積載寸法に余裕を持って対応はできるものの、荷台の幅方向の寸法（積載されるユニット式建物においては、その奥行寸法になる。）に関してはその積載寸法の制限が厳しく、荷台の幅によってユニット式建物の奥行寸法が制限されることとなる。
【０００５】
例えば、一般的に使われる標準の４トントラックの荷台の寸法は、長さが５５００ｍｍ、幅が２１２０ｍｍ、積載時の高さが３８００ｍｍとなっている。
【０００６】
そして、ユニット式建物としてはその大きさが、幅寸法が２３００ｍｍ、奥行寸法が２０５０ｍｍ、高さが２５００ｍｍとなっている。そして、その高さ方向の寸法は問題無いが、このユニット式建物の正面に庇や看板のパネルを突出させて付加する場合においては、少なくても５００ｍｍ程突出した寸法が必要になるので、更にその分ユニット式建物としては、奥行寸法が増すことになり、結局、上述した４トントラックの標準荷台寸法の幅２１２０ｍｍを４３０ｍｍ程越えてしまう。従って、このような荷台寸法からはみ出した状態だと当然ながら荷台に積載することができなくなる。
【０００７】
これらの不具合を解消するためには、ユニット式建物の奥行き寸法を、付加した庇や看板のパネル突出寸法分を含めた全奥行き寸法をトラックの幅２１２０ｍｍ寸法以内に収まるように設計すれば良いことになるが、このユニット式建物の奥行き寸法はその内部に設置される洗濯機や乾燥機等の奥行き寸法に関係してくる。つまり、ユニット式建物の奥行き寸法を短くすると当然ながら洗濯機や乾燥機等が小型のものしか設置することができなくなり大型の洗濯機および乾燥機は設置できなくなる。
【０００８】
本発明は、このような従来の問題点に鑑みてなされたもので、その目的は、運搬する４トントラック車両等に制限された長さ方向の寸法及び幅寸法の制約条件の基で、設備機器を効率良く集中して配置し、現場施工作業の簡略化及び施工期間の短縮化が可能なユニット式建物を提供することにある。また、ユニットフレームの回収、整備、若しくは引き渡しをユニットフレーム単位で行うことが可能なユニット式建物を提供する。
【０００９】
【課題を解決するための手段】
上記問題を解決するためにこの発明が採った手段は、看板フレームとユニットフレームとで構成されたユニット式建物であって、看板フレームは側面から見た場合にＬ字形に形成されており、該Ｌ字形の垂直面をユニットフレームに着脱可能に構成され、一方ユニットフレームはトラック車両１台分の床設置面積およびその高さを有し、独立した鉄骨構造を成し、前記ユニットフレームを複数個組み合わせ連結した時に、出入口の通路となる空間部を予め形成し、該空間部を連結していくと共に壁でその空間部を開閉自在とし、複数個形成された建物を通路を介して出入できるようにしたことを特徴とする。
【００１０】
そして、看板フレームは庇と一体的に構成され、前記ユニットフレームの上方部にボルトナット止めにて固定されるように形成されていることを特徴とする。
【００１１】
また、ユニットフレームは前記看板を外した状態で、４トン車両で運搬できる大きさであることを特徴とする。
【００１２】
そして、ユニット式建物内に形成された収容空間部内に、洗濯機と乾燥機とを上下に配置したものを少なくとも２つ以上横に並べて配置しうる寸法にしたことを特徴とする。
【００１３】
そしてまた、ユニット式建物の側部上方に換気扇を配置しうる空間部を形成したことを特徴とする。
【００１４】
それから、ユニットフレームの回収、整備、若しくは引き渡しをユニットフレーム単位で行うようにしたを特徴とする。
【００１５】
【発明の実施の形態】
この発明の好ましい実施の形態を、以下に詳細に説明する。このユニット式建物は、看板フレームとユニットフレームとで構成されたユニット式建物であって、看板フレームは側面から見た場合にＬ字形に形成されており、該Ｌ字形の垂直面をユニットフレームに着脱可能に構成され、一方ユニットフレームはトラック車両１台分の床設置面積およびその高さを有し、独立した鉄骨構造を成し、前記ユニットフレームを複数個組み合わせ連結した時に、出入口の通路となる空間部を予め形成し、該空間部を連結していくと共に壁でその空間部を開閉自在とし、複数個形成された建物を通路を介して出入りできるようにした構造となっている。
【００１６】
また、看板フレームは庇と一体的に構成され、前記ユニットフレームの上方部にボルトナット止めにて固定されるように形成されている。
【００１７】
また、ユニットフレームは前記看板を外した状態で、４トン車両で運搬できる大きさになっている。
【００１８】
また、ユニット式建物内に形成された収容空間部内に、洗濯機と乾燥機とを上下に配置したものを少なくとも２つ以上横に並べて配置しうる寸法にした構造となっている。
【００１９】
また、ユニット式建物の側部上方に換気扇を配置しうる空間部を形成した構造となっている。
【００２０】
また、ユニットフレームの回収、整備、若しくは引き渡しをユニットフレーム単位で行うようにした構造となっている。
【００２１】
【実施例】
以下、本発明の一実施例について、図面を参照して説明すると、図１は本発明の一実施例に係るコインランドリーの単位ユニット式建物を３つ横一列に連結接続した設置完了後の外観図であり、図２はその内部を上から見た図である。また、図３はその単位ユニット式建物の骨組みが示されており、図４はその骨組みの側面から見た断面図である。
【００２２】
図１〜図４において、単位ユニット式建物２には、その上部に庇と看板とが一体化された看板体６が取り付けられる構造になっており、正面８および後面１１には二枚引き戸５のアルミサッシが取り付けられている。そして、その単位ユニット式建物２の両側には、看板体６を外した単位ユニット式建物３、４がそれぞれ連結接続されているが、設置場所が狭ければこれら連結するのを２つに減らしても良いし、逆に設置場所が広ければ単位ユニット式建物を４つ、５つと連結数量を増しても良い構造になっている。
【００２３】
そして、これらの単位ユニット式建物２、３、４は、予めその単位ユニット式建物毎にその内部の設備を生産工場で設置しておき、それをトラック等に積載して設置場所に移動し設置を行うようになっている。
【００２４】
次に、天井面１０は断熱材（ｔ＝５０）入りの天井パネルで張り、床面７はコンパネ（ｔ＝１２ｍｍ）ＣＦ貼りを行う。そして正面８とその後面１１および側面９は断熱材（ｔ＝５０入り）ＰＢ（ｔ＝１２ｍｍ）ペンキ仕上げを施す（これらはいづれも図示しない）。そして、これらの単位ユニット式建物の鉄骨組体１は、軽量Ｃ形鋼からなる長尺、短尺とを方形枠状に接合してなり、天井面１０および床面７は格子状に接合し、四側面は互いに連結接続する際に後述する好適なようにその構造が工夫されている。
【００２５】
そして、図２に示したようにその内部には、上下に配置した洗濯機と乾燥機６１、６２、６３が設置されている。勿論、洗濯機と乾燥機６１、６２、６３の保守点検用の通路Ａとしては洗濯機と乾燥機６１、６２、６３の前側に沿って所定幅で確保されている。また、洗濯機と乾燥機６１、６２、６３の後側については、給排水、ガス設備等の配管や電気配線等が施されているので、これらの保守点検する為の通路Ｂも洗濯機と乾燥機６１、６２、６３の後側に所定幅でそれぞれ確保されている。
【００２６】
以下、単位ユニット式建物を構成する鉄骨組体１の構造と、その鉄骨組体１に付加される看板体６、サッシ組立体１２と換気扇１４の取り付けについて詳細に説明する。
【００２７】
図３において、鉄骨組体１は、ａ、ｂ、ｃ、ｄの四辺のフレームからなり床用の鉄骨組１００を形成する。そして、この平面四角形状に形成された鉄骨組１００の四隅に立設された柱ｅ、ｆ、ｇ、ｈと、その柱ｅ、ｆ、ｇ、ｈの上に、略床用の鉄骨組１００と近似形状でｉ、ｊ、ｋ、ｌの四辺のフレームからなる四角形の天井用の鉄骨組４００がいずれも溶接にて取り付けられ、鉄骨組全体が直方体に形成されている。
【００２８】
このようにして形成された鉄骨組体１の正面用の鉄骨組２００の上部には、看板体６を、そして、出／入口用としての二枚引き戸５を有したサッシ組立体１２を、また、同様にその出／入口と反対側にも同様のサッシ組立体１２を取付ける取付け部を形成しておく。そして、側壁用の鉄骨組３００の上部には、換気扇１４を取付ける取付け部を形成しておく。
【００２９】
次に、上述したこれらの取付け部の構造を説明する。まずはじめに看板体６を鉄骨組体１へ取付ける構造から説明すると、天井用の鉄骨組４００のフレームｊとその下側方向に並行して看板体６の所定幅に対応した位置に桟ｑ、ｒを渡し、その両端を柱ｅ、ｆに溶接にて取付ける。そして、桟ｑ、ｒの略中心の位置とフレームｊとの間に桟ｓ渡し、その両端をフレームｊ、桟ｑ、ｒに溶接にて取付ける。ここで、注意することは、床用の鉄骨組１００を形成してるフレームｂと桟ｑ、ｒ間の距離は、後述するサッシ組立体１２の高さ寸法に合わせるように設定しておく。
【００３０】
このように形成された柱ｅ、桟ｑ、ｒ、柱ｆ、桟ｓ、フレームｊに囲まれたそれぞれ四角形状に形成された枠に対し、看板体６を形成してるフレーム１７，１８，１９を対応させてボルトナット止めにて取付ける。つまり、図４に示したようにこの看板体６の裏面側に位置するフレーム１７，１８，１９を前述した鉄骨組体１の柱ｅ、桟ｑ、ｒ、柱ｆ、桟ｓ、フレームｊに囲まれたそれぞれ四角形状の枠に対し、看板体６のフレーム１７を柱ｅへ、フレーム１８を桟ｓへ、フレーム１９を柱ｆへそれぞれ対応させて取付けられる。また、この看板体６は、看板表示部１６、１６の下部から鉄骨組体１の正面水平方向に延出された庇１５、１５とが一体的に形成されている。
【００３１】
次に、サッシ組立体１２を鉄骨組体１へ取付ける構造を説明すると、上述した看板体６を取付ける為に形成した桟ｑ、ｒと床用の鉄骨組１００を形成してるフレームｂとの間に、それぞれ、サッシ組立体１２の所定の幅寸法に対応した位置に、桟ｍ、ｎを溶接接続する。そしてこのようにして形成した桟ｍ、フレームｂ、桟ｎ、ｑ、ｒに囲まれた四角形状に形成された枠に、サッシ組立体１２をボルトナット止めにて固定する。
【００３２】
次に、換気扇１４を鉄骨組体１へ取付ける構造を説明すと、換気扇１４は一般的に高い位置に取付けるために、側壁用の鉄骨組３００の上部分に換気扇１４の大きさに対応し装着できる空間部を形成する。その空間部は、天井用の鉄骨組４００のフレームｋとその下側方向に並行して換気扇１４の所定幅に対応した位置に桟ｔ、ｕを準備し、その両端を柱ｆ、桟ｏとの間に溶接にて取付け、桟ｔ、ｕの略中心の位置とフレームｋとの間に桟ｖを溶接接続することで形成する。そして、このようにして形成したフレームｋ、柱ｆ、桟ｔ、ｕ、ｏ、ｖで囲まれた四角形状に形成された枠内に、換気扇１４をボルトナット止めにて固定する。
【００３３】
次に、このように看板体６、サッシ組体１２、換気扇１４を必要に応じ適宜鉄骨組体１に付加し、その付加された鉄骨組体１を連結接続し一つの大きな店舗として形成する場合において、その連結接続方法について図１〜図４を用いながら説明する。
【００３４】
まず、上述したように鉄骨組体１に看板体６とサッシ組立体１２を取付けた単位ユニット式建物２を真ん中に配置しその両側に看板体６を取り付けていない単位ユニット３および４を連結接続し、サッシ組立体１２を取付ける。そして次に、単位ユニット式建物３または４の側壁９に換気扇１４を取付ける。この一実施例の場合換気扇１４は単位ユニット式建物４の右側壁上部に設置する。また、必要によりユニット式建物５の左側壁上部にも設置することができる。
【００３５】
次に、単位ユニット式建物２、３、４の連結接続する方法を説明する。まず、鉄骨組体１において、内部に設置した洗濯機と乾燥機６１、６２、６３の保守点検用としての通路Ａは、床用の鉄骨組体組１００を形成するフレームｃと、その上部に立設してる柱ｆと、桟ｏと、換気扇１４が取り付けられる桟ｔ、ｕとで作出された四角形状の空間部５０で形成される。この場合この空間部５０と対向する側の側壁についても全く同形状で鉄骨組がされているので、その対向する位置に四角形状の空間部５０’が作出されることになる。そして、実際に鉄骨組体１を複数個連結接続する場合は、上述したように作出されたこれらの四角形状の空間部５０に隣接させて連結接続する単体ユニット式建物の空間部５０’を対応させて、ボルトナット止めすることで通路が確保される。このように空間部５０と５０’とを連結接続することで、図２に示したように、洗濯機と乾燥機６１、６２、６３が並べて配置された前側に沿って長い通路Ａができることになる。
【００３６】
なお、これら連結接続の際のボルトナット止めについては、使用してる鉄骨を軽量Ｃ形鋼にしてあるので、このＣ形状の互いに背部を合わせて、そのＣ形状の内側でボルトナット止めする。このような方法で連結接続を容易にしている。
【００３７】
また、同様に、フレームｃと、桟ｏと、フレームｋと、桟ｐとから作出された空間部５１も同様にこの空間部５１と対向する側の側壁についても全く同形状で鉄骨組がされているので、その対向する位置に四角状の空間部５１’が作出されることになる。また、同様に、フレームｃと、桟ｐと、フレームｋと、柱ｇとから作出された空間部５２も同様にこの空間部５２と対向する側の側壁についても全く同形状で鉄骨組体組がされているので、その対向する位置に四角状の空間部５２’が作出されることになる。
【００３８】
以上のようにして作出された空間部５１、５２においては、隣接させて連結接続する空間部５１’、５２’を、上述した空間部５０、５０’と共に対応させてボルトナット止めする。
【００３９】
なお、ここで最終的に連結接続した状態において、外側に配置された空間部５０〜５２または空間部５０’〜５２’については、いずれもその空間部は断熱材のＰＢで塞いでペンキ仕上げを行うようになっている。また、この鉄骨組体１の後面５００に対しては、上述したサッシ組立体１２を取付けるだけなのでその詳細な説明を省略する。
【００４０】
最後に、これらのユニット式建物の設置場所に設置した際に、内部に設置した洗濯機と乾燥機６１、６２、６３等の設備に対して、給排水、ガス等の配管および電気配線を元栓に接続し、その動作を確認した後に使用者へ引き渡すことになる。
【００４１】
【発明の効果】
以上説明してきたように、本発明のユニット式建物によれば、その構成を看板フレームとユニットフレームとで構成されたユニット式建物であって、看板フレームは側面から見た場合にＬ字形に形成されており、該Ｌ字形の垂直面をユニットフレームに着脱可能に構成され、一方ユニットフレームはトラック車両１台分の床設置面積およびその高さを有し、独立した鉄骨構造を成し、前記ユニットフレームを複数個組み合わせ連結した時に、出入口の通路となる空間部を予め形成し、該空間部を連結していくと共に壁でその空間部を開閉自在とし、複数個形成された建物を通路を介して出入できるようにしたため、運搬時には看板フレームをユニット式建物から外し、搬送先で看板フレームを後付けすることができ、ユニット式建物の内部に設置する設備を効率良く配置することができると共に、設備の前後に対してメンテナンス通路がその設備に並行して形成できるのでメンテナンスがし易いという効果が得られる。
【００４２】
また、看板フレームは庇と一体的に構成され、前記ユニットフレームの上方部にボルトナット止めにて固定されるように形成されるようにしたため、運搬するトラック等の荷台に積載する場合には取り外すことができ、また、取付ける場合も看板と庇を同時に取付けることができるので、取付け作業時間が短縮されるという効果が得られる。
【００４３】
ユニットフレームは前記看板を外した状態で、４トン車両で運搬できる大きさにしたため、ユニット式建物内部の広さを最大限有効に使用することができるので、比較的大型の設備を設置することができるという効果が得られる。
【００４４】
ユニット式建物内に形成された収容空間部内に、少なくとも２つ以上の洗濯機と乾燥機とを上下に配置したものを横に並べて配置しうる寸法にしたため、ユニット式建物内部の広さを最大限有効に使用することができるので、比較的大型の設備を設置することができるという効果が得られる。
【００４５】
ユニット式建物の側部上方に換気扇を配置しうる空間部を形成したため、取付け取り外しが簡単にできるという効果が得られる。
【００４６】
庇はユニットフレームに後付けされるために、その大きさを制約されることがないので、予め庇の面積を広めに設置しておくことで、例えば雨天時におかれては荷物の出し入れ等において実質的にその庇の下が有効利用できるという効果が得られる。
【００４７】
ユニット式建物を複数個連結した場合、洗濯機や乾燥機の大きさによる組合せを容易に変更することができ、ユニット式建物全体として柔軟性・多様性を発揮できる。また、複数個連結したユニット式建物のうち、ある１つのユニット式建物を点検補修する場合においては、当該建物を他のユニット式建物から隔離することができるので、営業への悪影響を最小限にくい止めることができるという効果が得られる。
【００４８】
ユニットフレームにおいて、不要になったユニットフレームを該ユニットフレームごとに回収、整備し、ユニットフレーム単位で他に引き渡しすることができるようにしたため、回収、整備、引き渡しが短時間で行うことができるという効果が得られる。
【図面の簡単な説明】
【図１】本発明の一実施例に係るコインランドリーをユニット式建物を３つ横一列に連結接続した設置完了後の外観図である。
【図２】図１の内部を上から見た図である。
【図３】ユニット式建物の骨組み状態を示した図である。
【図４】図３の側面から見た断面図である。
【符号の説明】
１　　鉄骨組体
２　　単位ユニット式建物
３　　単位ユニット式建物
４　　単位ユニット式建物
５　　二枚引き戸
６　　看板体
７　　床面
８　　前面
９　　側面
１０　　天井面
１１　後面
１２　サッシ組立体
１４　換気扇
１５　庇
１６　看板表示部
【図１】
2004116073.tif 000003
【図２】
2004116073.tif 000004
【図３】
2004116073.tif 000005
【図４】
2004116073.tif 000006